(57)【要約】【課題】  取付けが容易なうえに吸気用と排気用として共用でき、しかも、取付けた状態で外側に大きく突出することをなくした美観に優れた換気扇装置を提供する。【解決手段】  モータにより回転する羽根７が内部に取付けられた胴部１ａの両端に、同径、同ピッチの吸気側のねじ部と排気側のねじ部を連設した換気扇本体１と、前記したねじ部のいずれか一方を螺合させるルーバ２とよりなり、換気扇取付孔１６を設けたキャビネットのパネル１５を挟み込んで換気扇本体１を締付固定した。この場合、換気扇本体の外周に換気扇の制御装置を装着する制御装置装着部を設けておくこともある。  【選択図】  図１
2006329507.tif 000002
【特許請求の範囲】
【請求項１】
モータにより回転する羽根が内部に取付けられた胴部の両端に、同径、同ピッチの吸気側のねじ部と排気側のねじ部を連設した換気扇本体と、前記したねじ部のいずれか一方を螺合させるルーバとよりなり、換気扇取付孔を設けたキャビネットのパネルを挟み込んで前記換気扇本体を締付固定したことを特徴とする換気扇装置。
【請求項２】
換気扇本体の外周に換気扇の制御装置を装着する制御装置装着部を設けたことを特徴とする請求項１に記載の換気扇装置。
【発明の詳細な説明】
【技術分野】
【０００１】
本発明は、配電盤、分電盤、通信盤などの電気機器を収納するキャビネットに取り付けられてキャビネットへの吸気又はキャビネットからの排気を行う換気扇装置に関するものである。
【背景技術】
【０００２】
配電盤、分電盤、通信盤などの電気機器や電子機器を収納するキャビネットにはキャビネット内部を冷却するために換気扇が取り付けられている。従来、こうした換気扇はルーバやフィンガーガードとともにキャビネットにねじ止めされているため、キャビネットには多数の孔開け加工をしなければならず、部品点数が多くて取付けに手間がかかるという問題があった。そこで、組み付け作業を容易にするとともに吸気用又は排気用として共用できるようにしたものが特許文献１により提案されている。
【０００３】
この特許文献１に示されているものは、換気扇本体の前部の円環体に設けた嵌合ねじ部をキャビネットに設けられた取付孔に内側から挿入し、前記嵌合ねじ部にルーバ後部に設けられた嵌合ねじを螺合させて取付けているが、この換気扇ではフィルターが換気扇後部に設けられた嵌合ねじに螺合して取り付けられているため、キャビネット外部からはフィルターの清掃、交換ができないという問題があった。また、換気扇を吸気用として使用する場合には換気扇本体をキャビネット外側に取り付けるため大きく突出することになり、外観を損ねるだけでなくキャビネットを設置する際に余分なスペースを要するという問題もあった。
【特許文献１】実開平６−１４８３３号公報
【発明の開示】
【発明が解決しようとする課題】
【０００４】
本発明が解決しようとする課題は、上記の問題点を解決し、取付けが容易なうえに吸気用と排気用として共用でき、しかも、取付けた状態で外側に大きく突出することをなくした美観に優れた換気扇装置を提供することにある。
【課題を解決するための手段】
【０００５】
上記の課題を解決するために完成された本発明の換気扇装置は、モータにより回転する羽根が内部に取付けられた胴部の両端に、同径、同ピッチの吸気側のねじ部と排気側のねじ部を連設した換気扇本体と、前記したねじ部のいずれか一方を螺合させるルーバとよりなり、換気扇取付孔を設けたキャビネットのパネルを挟み込んで前記換気扇本体を締付固定したことを特徴とする。なお、この換気扇装置において、換気扇本体の外周には換気扇の制御装置を装着する制御装置装着部を設けておくことができる。
【発明の効果】
【０００６】
本発明の換気扇装置は、羽根が内部に取付けられた胴部の両端に、同径、同ピッチの吸気側のねじ部と排気側のねじ部を連設した換気扇本体と、前記したねじ部を螺合させるルーバとにより、換気扇取付孔を設けたキャビネットのパネルを挟み込んで換気扇本体を締付固定したので、換気扇本体はいずれの方向にも取り付け可能であり、換気扇本体の取付方向により吸気用と排気用のいずれかに任意に選択できる利点がある。また、取付けた状態でキャビネットの外側に露出するのはルーバだけで大きく突出することがないので美観に優れる利点がある。さらに、換気扇本体の外周に制御装置を装着する制御装置装着部を設けた場合には、キャビネット内に別途制御装置を設置するスペースが不要となり、配線を引き回す必要がない利点がある。
【発明を実施するための最良の形態】
【０００７】
次に、本発明を実施するための最良の形態について、図を参照しながら具体的に説明する。
図１は本発明の換気扇の構成を示す斜視図、図２は縦断面図であって、１は換気扇本体、２はルーバである。換気扇本体１は、従来の換気扇と同様、モータにより回転する羽根７が風洞内部に取付けられた短筒状の胴部１ａの両端に段部を介して胴部１ａよりも若干小径とする吸気側の雄ねじ筒部３と排気側の雄ねじ筒部４とを同径、同ピッチで続かせたものである。
【０００８】
一方、ルーバ２は、その短脚筒部の内周面に前記した雄ねじ筒部３、４に螺合される雌ねじ部８を形成したものとしている。９は必要に応じて組み込まれるフィルターであって、このフィルター９は、例えば、不織布等を円盤状に成形して構成されていて、ルーバ２の内面に設けられたフィルター装着部１０に装着されてフィルター押え１１により固定できるようになっている。なお、このフィルター押え１１は、金属線を折り曲げてばね性を持たせたものとすることでフィルター押え１１及びフィルター９の着脱を容易にすることができる。
【０００９】
１２は換気扇本体１の胴部１ａの外周面に設けられた制御装置装着部である。この制御装置装着部１２には取付用のビス孔１３が設けられており、制御装置装着部１２からは接続用リード線１４が制御装置の取付けを妨げないように引き出されている。また、このような制御装置は一般に取り付け面が平面であり、胴部１ａに平面部分のない形状の場合には平面の制御装置装着部１２を設け、胴部１ａに平面部分がある形状の場合には、その平面部分を制御装置装着部１２とすることができ、これにビス孔１３を設けておく。
【００１０】
そして、前記した換気扇本体１は、図３又は図４に示すように、キャビネットのパネル１５に形成されている換気扇取付孔１６に前記した雄ねじ筒部３、４のいずれか一方を内側から挿込んでキャビネットのパネル１５の外側に突出させ、この突出した一方の雄ねじ筒部にルーバ２をその短脚筒部の内周面に形成した雌ねじ部８をもって螺合させて前記した換気扇本体１をキャビネットのパネル１５の孔縁に締付固定される。この場合、吸気用として使用するには、図３に示すようにパネル１５に設けられた換気扇取付孔１６に吸気側の取付部３をキャビネットの内側から挿通し、雄ねじ筒部３の雄ねじ５にルーバ２の雌ねじ８を螺合させてルーバ２を締め付ける。これにより換気扇本体１の胴部１ａの端面とルーバ２の端面の間にパネル１５が挟まれて締め付けられ、換気扇本体１がパネル１５に固定される。そして、モーターの駆動で羽根７が回転すれば、矢印で示す方向に送風され、キャビネット内に吸気されることになるが、ルーバ２に設けられたフィルター装着部１０にフィルター９を装着しておけば、キャビネット内に塵埃が吸い込まれることを防ぐことができる。
【００１１】
一方、排気用として使用する場合には、換気扇取付孔１６に排気側の雄ねじ筒部４をキャビネットの内側から挿通し、その雄ねじ６にルーバ２の短脚筒部に形成してある雌ねじ部８を螺合させてルーバ２を締め付け、換気扇本体１を固定する。そして、モーターの駆動で羽根７が回転すれば、矢印で示す方向に送風され、キャビネット内から排気されることになる。排気用として使用する場合、キャビネット内への吸気は別途設けられた吸気口からなされるので、キャビネット内に塵埃が吸い込まれることを防ぐためには吸気口にフィルターを設けることとなり、換気扇本体１へのフィルター９の装着はしなくてもよいが、換気扇停止時には塵埃が入り込むおそれがあるので、フィルターを装着することが好ましい。
【００１２】
以上説明したように、本発明の換気扇装置は、パネル１５に換気扇取付孔１６を１個だけ孔開け加工してその換気扇取付孔１６に雄ねじ筒部３、４のいずれか一方を挿込み、いずれかの雄ねじにルーバ２の雌ねじ部８を螺合させて締め付けるだけで取り付けができるので、孔開け加工が容易で取り付けの手間を要しないという利点がある。また、換気扇本体１の取り付け方向により吸気用と排気用の選択ができ、キャビネット外側に露出するのはいずれの場合もルーバ２だけで大きく突出することはなく、美観に優れる利点がある。さらにフィルター９はキャビネット外のルーバ２内にフィルター押え１１により固定されているので、ルーバ２を取り外すことによりキャビネット外から容易にフィルター９の清掃、交換ができ、換気扇本体１にはフィルター９を通った後の空気が通るので羽根等に塵埃がつくことがない利点がある。
【００１３】
また、図５に示すように、ルーバ２の通風孔部を設けた面の一部を着脱可能にした通風孔カバー１７を設けることにより、ルーバ２を取り外すことなくキャビネット外から容易にフィルター９を交換することができる。なお、通風孔カバー１７はフィルター９と同じ大きさであることが好ましく、ルーバ２への取付けは嵌合ねじでも爪片による嵌合であってもよい。
【００１４】
さらに、前記した実施形態では、換気扇本体１の吸気側および排気側に、雄ねじ筒部３、４を設ける一方、ルーバ２に雌ねじ部８を設けているが、換気扇本体１の吸気側および排気側を雌ねじ部としてルーバ２に雄ねじ部を設けてもよく、要は、胴部の両端に同径、同ピッチの吸気側のねじ部と排気側のねじ部を設けた換気扇本体と、前記したねじ部のいずれか一方を螺合させるルーバとよりなるものとすればよい。また、前記した実施形態においては換気扇本体１の胴部１ａの両端に段部を介して吸気側の雄ねじ筒部３と排気側の雄ねじ筒部４とが設けられていて、前記した段部とルーバ２によりキャビネットのパネル１５を挟み込んでいるが、段部に代えて突起部を設けてこの突起部とルーバ２によりキャビネットのパネル１５を挟み込む構造としてもよい。
【００１５】
また、制御装置装着部１２には必要に応じて監視制御装置のような制御装置を装着する。この監視制御装置としては、例えば、キャビネット内の気温や湿度あるいは盤内機器の温度を計測して換気扇の運転制御をするもの、換気扇の異常や運転状態を監視して発信するもの等が知られており、温度設定つまみ、表示灯、電源入力端子、当該換気扇及び他の換気扇の接続用端子等を備えるものである。制御装置は制御装置装着部１２にビス孔１３を利用して取り付け、接続用リード線１４を制御装置の接続端子に接続する。制御装置を制御装置装着部１２に取り付けた場合には、キャビネット内に別途制御装置を設置するスペースが不要となり、配線を引き回す必要がない利点がある。
【００１６】
なお、前記した実施形態においては、制御装置装着部１２から接続用リード線１４を引き出すようにしているが、制御装置装着部１２にプラグ端子を埴設して接続端子とし、制御装置にこれと係合するジャック端子を設けて制御装置の装着と同時に接続するようにすることも可能である。制御装置装着部１２は対称な形状として制御装置を１８０度回転させても取り付けできるようにすることが好ましい。制御装置は通常片側面を操作面としており、制御装置装着部１２を対称な形状とすることにより換気扇をキャビネットに吸気用、排気用いずれの方向に取り付けた場合にも操作面が操作可能な方向に向くように取り付けることが可能となる。
【図面の簡単な説明】
【００１７】
【図１】本発明の実施の形態の構成を示す斜視図である。
【図２】本発明の実施の形態の構成を示す断面図である。
【図３】キャビネットのパネルに取り付けた状態を示す要部の断面図である。
【図４】キャビネットのパネルに取り付けた状態を示す要部の断面図である。
【図５】本発明の他の実施の形態の構成を示す断面図である。
【符号の説明】
【００１８】
１  換気扇本体
１ａ  胴部
２  ルーバ
３  吸気側の雄ねじ筒部                                                          ４  排気側の雄ねじ筒部  
７  羽根
８  雌ねじ部  
１２  制御装置装着部
１５  キャビネットのパネル
１６  換気扇取付孔
【図１】
2006329507.tif 000003
【図２】
2006329507.tif 000004
【図３】
2006329507.tif 000005
【図４】
2006329507.tif 000006
【図５】
2006329507.tif 000007